(57)【要約】      （修正有）【課題】携帯性に優れると共にビジネスパーソンに必要な物品と共に携帯することができる防犯ブザーを提供する。【解決手段】防犯ブザー１０は、 防犯ブザー本体１１と、上記防犯ブザー本体１１を収納すると共に、定期券１２、名刺１３又は各種カード等を収納しうる収納部１５を有するケース１４とを備えている。上記防犯ブザー本体１１及び上記ケース１４は平面長方形状であると共に、上記防犯ブザー本体１１は、上記定期券１２、名刺１３又は各種カード等と略同一の大きさに形成されている。上記ケース１４はポリカーボネート製であり、上記ケース１４にはネックストラップ１６のフック２８の孔部が短片部１４ａ及び長片部１４ｂに形成されている。【選択図】図１
0003172585.tif 000002
【実用新案登録請求の範囲】
【請求項１】
防犯ブザー本体と、上記防犯ブザー本体を収納すると共に、定期券、名刺又は各種カードを収納しうる収納部を有するケースとを備えたことを特徴とする防犯ブザー。
【請求項２】
上記防犯ブザー本体及び上記ケースは平面長方形状であることを特徴とする請求項１記載の防犯ブザー。
【請求項３】
上記防犯ブザー本体は、上記定期券、名刺又は各種カードと略同一の大きさに形成されていることを特徴とする請求項２記載の防犯ブザー。
【請求項４】
上記ケースはポリカーボネート製であることを特徴とする請求項１記載の
【請求項５】
上記ケースにはネックストラップ用のフック孔が短片部及び長片部に形成されていることを特徴とする請求項３記載の防犯ブザー。
【考案の詳細な説明】
【技術分野】
【０００１】
本考案は、防犯ブザーの改良に関する。
【背景技術】
【０００２】
従来より、各種の防犯ブザーが使用されている。このような防犯ブザーは、一般的には、直径３ｃｍ程度の平面楕円形状の円盤状等に形成され、ひも状のスイッチを引っ張ることにより所定の警告音が発せられるように構成されている。
【０００３】
このような防犯ブザーは、児童の学校への行き帰り又は外出時に携帯し、何らかの危険な状況に遭遇しそうになった場合に使用する。また、例えば、新幹線の女性のアテンダントの場合は、乗客とのトラブル、暴行事件等が発生する場合もあり、このような防犯ブザーを常時携帯している。
【０００４】
さらに、一般のホテルや、近年各地に多数立地しているビジネスホテルのチェーン店等においても女性従業員が多く、ルームサービス等の業務中に宿泊脚とのトラブルが発生する可能性があり、同様に防犯ブザーを携行している。
【０００５】
一方、ＰＡＳＭＯやＳＵＩＣＡ等の交通用パスは非接触型のＩＣカードであり、ビジネスパースンが携帯する社員証や、学生が携帯する学生証も非接触型のＩＣカードが採用されている。
【０００６】
従って、このような非接触型のＩＣカードや、ビジネスパーソンにとって必携の名刺、定期券等が、上記事情から携帯の必要がある防犯ブザーと同一のケース内に収納して携帯できれば、必要時に複数のポケットを探す必要がなく、迅速に取り出して使用できることから非常に便利である。しかしながら、従来このような要請に応えられる物品は存在しなかった。
【考案の開示】
【考案が解決しようとする課題】
【０００７】
本考案はこのような従来からの不具合を解決するためのものであって、その課題は、携帯性に優れると共にビジネスパーソンに必要な物品と共に携帯することができる防犯ブザーを提供することにある。
【課題を解決するための手段】
【０００８】
上記課題達成のため、請求項１記載の考案にあっては、 防犯ブザー本体と、上記防犯ブザー本体を収納すると共に、定期券、名刺又は各種カードを収納しうる収納部とを有するケースを備えたことを特徴とする。
【０００９】
従って、請求項１記載の考案にあっては、ケース内に防犯ブザー本体及び、定期券、名刺又は各種カード等を収納することができる。
【００１０】
請求項２記載の考案にあっては、上記防犯ブザー本体及び上記ケースは平面長方形状であることを特徴とする。
従って、請求項２記載の考案にあっては、ブザー本体はカード型に形成されて、同様に長方形状の定期券、名刺又は各種カードと同一の形状に形成されている。
【００１１】
請求項３記載の考案にあっては、上記防犯ブザー本体は、上記定期券、名刺又は各種カードと略同一の大きさに形成されていることを特徴とする。
従って、請求項３記載の考案にあっては、上記防犯ブザー及び定期券、名刺又は各種カードは同一の大きさに形成されていることから、同一のケースに収納することができる。
【００１２】
請求項４記載の考案にあっては、上記ケースはポリカーボネート製であることを特徴とする。
【００１３】
請求項５記載の考案にあっては、上記ケースにはネックストラップ用のフック孔が短片部及び長片部に形成されていることを特徴とする。
従って、請求項５記載の考案にあっては、長方形状の防犯ブザーを縦方向にも横方向にも使用することができる。
【考案の効果】
【００１４】
請求項１記載の考案にあっては、ケース内に防犯ブザー本体及び、定期券、名刺又は各種カード等を収納することができることから、ビジネスパーソンに必要な物品と共に携帯することができる防犯ブザーを提供することができる。
【００１５】
また、外出時に必要な携帯品である定期券、名刺及び各種カードを防犯ブザーと共に一緒に携帯することができることから、携帯に必要な各種の物品を一か所にまとめて携帯することができるため、携帯品全体の携帯性を向上させることもできる。
【００１６】
請求項２記載の考案にあっては、ブザー本体はカード型に形成され、同様に長方形状の定期券、名刺又は各種カードと同一の形状に形成されていることから、使用者は外出時に携帯する定期券、名刺及び各種カード等と何ら違和感なく携帯することができ、良好な携帯性を確保することができる。
【００１７】
請求項３記載の考案にあっては、上記防犯ブザー及び定期券、名刺又は各種カードは同一の大きさに形成されていることから、同一のケースに収納することができ、より携帯性に優れた防犯ブザーを提供することができる。
【００１８】
請求項４記載の考案にあっては、上記ケースはポリカーボネート製であるこから、耐衝撃性に優れると共に耐久性に富む防犯ブザーを提供することができる。
【００１９】
請求項５記載の考案にあっては、長方形状の防犯ブザーを縦方向にも横方向にも使用することができることから、使用者は使用状況に応じて防犯ブザーを使用することができる。
【図面の簡単な説明】
【００２０】
【図１】本考案に係る防犯ブザーの一実施の形態を、定期券、名刺との関係で示す概念図である。
【図２】本考案に係る防犯ブザーの回路構成図を示す概念図である。
【考案を実施するための最良の形態】
【００２１】
以下、添付図面に示す実施の形態に基づき、本考案を詳細に説明する。
図１に示すように、本実施の形態に係る防犯ブザー１０は、 防犯ブザー本体１１と、上記防犯ブザー本体１１を収納すると共に、定期券１２、名刺１３又は各種カード等を収納しうる収納部１５を有するケース１４とを備えている。
【００２２】
上記防犯ブザー本体１１及び上記ケース１４は平面長方形状であると共に、上記防犯ブザー本体１１は、上記定期券１２、名刺１３又は各種カード等と略同一の大きさに形成されている。
【００２３】
上記ケース１４はポリカーボネート製であり、上記ケース１４にはネックストラップ１６のフック２８の孔部（図示せず）が短片部１４ａ及び長片部１４ｂに形成されている。
【００２４】
本実施の形態に係る防犯ブザー本体１１は、図２に示すような回路構成からなる。図中１７はトグルスイッチ、１８、１９、２０は抵抗器、２１は電池、２２，２３はコンデンサー、２４はツェナーダイオード、２５はブザー、２６はＩＣ、２７はトランジスタである。
【００２５】
従って、本実施の形態に係る防犯ブザー１０にあっては、ケース１４内に防犯ブザー本体１１を収納しうると共に、上記ケース１４内に設けられた収納部１５内に、定期券１２、名刺１３又は各種カード等を収納することができる。
【００２６】
その結果、本実施の形態に係る防犯ブザー１０にあっては、ケース１４内に防犯ブザー本体１１及び、定期券１２、名刺１３又は各種カード等を収納することができることから、携帯性に優れると共に、ビジネスパーソンに必要な物品と共に携帯することができる。
【００２７】
また、本実施の形態に係る防犯ブザー１０にあっては、上記ケース１４がポリカーボネート製であることから、耐衝撃性に優れると共に耐久性に富む防犯ブザーが提供される。
【００２８】
さらに、長方形状の防犯ブザー１０を縦方向にも横方向にも使用することができることから、使用者は使用状況に応じて適宜使用することができる。
本実施の形態にあっては、上記ケース１４がポリカーカーボネート製の場合を例に説明したが、合成樹脂であればポリカーボネートには限定されない。
【符号の説明】
【００２９】
１０  防犯ブザー
１１  防犯ブザー本体
１２  定期券
１３  名刺
１４  ケース
１５  収納部
１６  ネックストラップ
１７  トグルスイッチ
１８  抵抗器
１９  抵抗器
２０  抵抗器
２１  電池
２２  コンデンサ
２３  コンデンサ
２４  ツェナーダイオード
２５  ブザー
２６  ＩＣ  
２７  トランジスタ
２８  フック
【図１】
0003172585.tif 000003
【図２】
0003172585.tif 000004
【手続補正書】
【提出日】平成23年10月24日(2011.10.24)
【手続補正１】
【補正対象書類名】実用新案登録請求の範囲
【補正対象項目名】全文
【補正方法】変更
【補正の内容】
【実用新案登録請求の範囲】
【請求項１】
防犯ブザー本体と、上記防犯ブザー本体を収納すると共に、定期券、名刺又は各種カードを収納しうる収納部を有するケースとを備えたことを特徴とする防犯ブザー。
【請求項２】
上記防犯ブザー本体及び上記ケースは平面長方形状であることを特徴とする請求項１記載の防犯ブザー。
【請求項３】
上記防犯ブザー本体は、上記定期券、名刺又は各種カードと略同一の大きさに形成されていることを特徴とする請求項２記載の防犯ブザー。
【請求項４】
上記ケースはポリカーボネート製であることを特徴とする請求項１記載の防犯ブザー。
【請求項５】
上記ケースにはネックストラップ用のフック孔が短片部及び長片部に形成されていることを特徴とする請求項３記載の防犯ブザー。
【手続補正２】
【補正対象書類名】明細書
【補正対象項目名】全文
【補正方法】変更
【補正の内容】
【考案の詳細な説明】
【技術分野】
【０００１】
本考案は、防犯ブザーの改良に関する。
【背景技術】
【０００２】
従来より、各種の防犯ブザーが使用されている。このような防犯ブザーは、一般的には、直径３ｃｍ程度の平面楕円形状の円盤状等に形成され、ひも状のスイッチを引っ張ることにより所定の警告音が発せられるように構成されている。
【０００３】
このような防犯ブザーは、児童の学校への行き帰り又は外出時に携帯し、何らかの危険な状況に遭遇しそうになった場合に使用する。また、例えば、新幹線の女性のアテンダントの場合は、乗客とのトラブル、暴行事件等が発生する場合もあり、このような防犯ブザーを常時携帯している。
【０００４】
さらに、一般のホテルや、近年各地に多数立地しているビジネスホテルのチェーン店等においても女性従業員が多く、ルームサービス等の業務中に宿泊脚とのトラブルが発生する可能性があり、同様に防犯ブザーを携行している。
【０００５】
一方、ＰＡＳＭＯ（登録商標）やＳＵＩＣＡ（登録商標）等の交通用パスは非接触型のＩＣカードであり、ビジネスパースンが携帯する社員証や、学生が携帯する学生証も非接触型のＩＣカードが採用されている。
【０００６】
従って、このような非接触型のＩＣカードや、ビジネスパーソンにとって必携の名刺、定期券等が、上記事情から携帯の必要がある防犯ブザーと同一のケース内に収納して携帯できれば、必要時に複数のポケットを探す必要がなく、迅速に取り出して使用できることから非常に便利である。しかしながら、従来このような要請に応えられる物品は存在しなかった。
【考案の開示】
【考案が解決しようとする課題】
【０００７】
本考案はこのような従来からの不具合を解決するためのものであって、その課題は、携帯性に優れると共にビジネスパーソンに必要な物品と共に携帯することができる防犯ブザーを提供することにある。
【課題を解決するための手段】
【０００８】
上記課題達成のため、請求項１記載の考案にあっては、 防犯ブザー本体と、上記防犯ブザー本体を収納すると共に、定期券、名刺又は各種カードを収納しうる収納部とを有するケースを備えたことを特徴とする。
【０００９】
従って、請求項１記載の考案にあっては、ケース内に防犯ブザー本体及び、定期券、名刺又は各種カード等を収納することができる。
【００１０】
請求項２記載の考案にあっては、上記防犯ブザー本体及び上記ケースは平面長方形状であることを特徴とする。
従って、請求項２記載の考案にあっては、ブザー本体はカード型に形成されて、同様に長方形状の定期券、名刺又は各種カードと同一の形状に形成されている。
【００１１】
請求項３記載の考案にあっては、上記防犯ブザー本体は、上記定期券、名刺又は各種カードと略同一の大きさに形成されていることを特徴とする。
従って、請求項３記載の考案にあっては、上記防犯ブザー及び定期券、名刺又は各種カードは同一の大きさに形成されていることから、同一のケースに収納することができる。
【００１２】
請求項４記載の考案にあっては、上記ケースはポリカーボネート製であることを特徴とする。
【００１３】
請求項５記載の考案にあっては、上記ケースにはネックストラップ用のフック孔が短片部及び長片部に形成されていることを特徴とする。
従って、請求項５記載の考案にあっては、長方形状の防犯ブザーを縦方向にも横方向にも使用することができる。
【考案の効果】
【００１４】
請求項１記載の考案にあっては、ケース内に防犯ブザー本体及び、定期券、名刺又は各種カード等を収納することができることから、ビジネスパーソンに必要な物品と共に携帯することができる防犯ブザーを提供することができる。
【００１５】
また、外出時に必要な携帯品である定期券、名刺及び各種カードを防犯ブザーと共に一緒に携帯することができることから、携帯に必要な各種の物品を一か所にまとめて携帯することができるため、携帯品全体の携帯性を向上させることもできる。
【００１６】
請求項２記載の考案にあっては、ブザー本体はカード型に形成され、同様に長方形状の定期券、名刺又は各種カードと同一の形状に形成されていることから、使用者は外出時に携帯する定期券、名刺及び各種カード等と何ら違和感なく携帯することができ、良好な携帯性を確保することができる。
【００１７】
請求項３記載の考案にあっては、上記防犯ブザー及び定期券、名刺又は各種カードは同一の大きさに形成されていることから、同一のケースに収納することができ、より携帯性に優れた防犯ブザーを提供することができる。
【００１８】
請求項４記載の考案にあっては、上記ケースはポリカーボネート製であるこから、耐衝撃性に優れると共に耐久性に富む防犯ブザーを提供することができる。
【００１９】
請求項５記載の考案にあっては、長方形状の防犯ブザーを縦方向にも横方向にも使用することができることから、使用者は使用状況に応じて防犯ブザーを使用することができる。
【図面の簡単な説明】
【００２０】
【図１】本考案に係る防犯ブザーの一実施の形態を、定期券、名刺との関係で示す概念図である。
【図２】本考案に係る防犯ブザーの回路構成図を示す概念図である。
【考案を実施するための最良の形態】
【００２１】
以下、添付図面に示す実施の形態に基づき、本考案を詳細に説明する。
図１に示すように、本実施の形態に係る防犯ブザー１０は、 防犯ブザー本体１１と、上記防犯ブザー本体１１を収納すると共に、定期券１２、名刺１３又は各種カード等を収納しうる収納部１５を有するケース１４とを備えている。
【００２２】
上記防犯ブザー本体１１及び上記ケース１４は平面長方形状であると共に、上記防犯ブザー本体１１は、上記定期券１２、名刺１３又は各種カード等と略同一の大きさに形成されている。
【００２３】
上記ケース１４はポリカーボネート製であり、上記ケース１４にはネックストラップ１６のフック２８の孔部（図示せず）が短片部１４ａ及び長片部１４ｂに形成されている。
【００２４】
本実施の形態に係る防犯ブザー本体１１は、図２に示すような回路構成からなる。図中１７はトグルスイッチ、１８、１９、２０は抵抗器、２１は電池、２２，２３はコンデンサー、２４はツェナーダイオード、２５はブザー、２６はＩＣ、２７はトランジスタである。
【００２５】
従って、本実施の形態に係る防犯ブザー１０にあっては、ケース１４内に防犯ブザー本体１１を収納しうると共に、上記ケース１４内に設けられた収納部１５内に、定期券１２、名刺１３又は各種カード等を収納することができる。
【００２６】
その結果、本実施の形態に係る防犯ブザー１０にあっては、ケース１４内に防犯ブザー本体１１及び、定期券１２、名刺１３又は各種カード等を収納することができることから、携帯性に優れると共に、ビジネスパーソンに必要な物品と共に携帯することができる。
【００２７】
また、本実施の形態に係る防犯ブザー１０にあっては、上記ケース１４がポリカーボネート製であることから、耐衝撃性に優れると共に耐久性に富む防犯ブザーが提供される。
【００２８】
さらに、長方形状の防犯ブザー１０を縦方向にも横方向にも使用することができることから、使用者は使用状況に応じて適宜使用することができる。
本実施の形態にあっては、上記ケース14がポリカーカーボネート製の場合を例に説明したが、合成樹脂であればポリカーボネートには限定されない。
【符号の説明】
【００２９】
１０  防犯ブザー
１１  防犯ブザー本体
１２  定期券
１３  名刺
１４  ケース
１５  収納部
１６  ネックストラップ
１７  トグルスイッチ
１８  抵抗器
１９  抵抗器
２０  抵抗器
２１  電池
２２  コンデンサ
２３  コンデンサ
２４  ツェナーダイオード
２５  ブザー
２６  ＩＣ  
２７  トランジスタ
２８  フック
【手続補正３】
【補正対象書類名】図面
【補正対象項目名】図１
【補正方法】変更
【補正の内容】
【図１】
0003172585.tif 000005